(57)【特許請求の範囲】
【請求項１】
壁パネルの縦方向に所定間隔で平行に取り付けられ、外面側の中央部に縦方向に沿うスリット状開口とその両サイドにフィン部とを有するチャンネル状胴縁と、
チャンネル状胴縁金具が嵌め込まれたサネ部と当該サネ部に嵌め込まれた前記チャンネル状胴縁金具より突出したジョイント面とで端部側が構成された縦貼りサイディングとを備え、
前記壁パネルに取り付けられた前記チャンネル状胴縁のフィン部に対して、前記縦貼りサイディングの前記サネ部に嵌め込まれた前記チャンネル状胴縁金具の一辺を、前記スリット状開口を利用して上方または下方からスライド挿入して前記チャンネル状胴縁に前記チャンネル状胴縁金具を差し込み装着してなる壁パネルへの縦貼りサイディング取り付け構造であって、
前記チャンネル状胴縁に装着された前記縦貼りサイディングの前記ジョイント面が、前記スリット状開口に沿って配置されている
ことを特徴とする壁パネルへの縦貼りサイディング取り付け構造。
【請求項２】
前記チャンネル状胴縁のフィン部は、前記チャンネル状胴縁金具の一辺と前記縦貼りサイディングとで挟持されている
ことを特徴とする請求項１記載の壁パネルへの縦貼りサイディング取り付け構造。
【請求項３】
壁パネルの縦方向に所定間隔で平行に取り付けられ、外面側の中央部に縦方向に沿うスリット状開口とその両サイドにフィン部とを有するチャンネル状胴縁と、
チャンネル状胴縁金具が嵌め込まれたサネ部と当該サネ部に嵌め込まれた前記チャンネル状胴縁金具より突出したジョイント面とで端部側が構成された縦貼りサイディングとを備え、
前記壁パネルに取り付けられた前記チャンネル状胴縁のフィン部の外面側と前記チャンネル状胴縁金具の一辺との間に、各々一対の弾性変形可能な押し込み式の係止爪を設け、両係止爪を係合させて前記チャンネル状胴縁に前記チャンネル状胴縁金具を押し込み装着してなる壁パネルへの縦貼りサイディング取り付け構造であって、
前記チャンネル状胴縁に装着された前記縦貼りサイディングの前記ジョイント面が、前記スリット状開口に沿って配置されている
ことを特徴とする壁パネルへの縦貼りサイディング取り付け構造。
【請求項４】
壁パネルの縦方向に所定間隔で平行に取り付けられ、外面側の中央部に縦方向に沿うスリット状開口とその両サイドにフィン部とを有するチャンネル状胴縁と、
チャンネル状胴縁金具が嵌め込まれたサネ部と当該サネ部に嵌め込まれた前記チャンネル状胴縁金具より突出したジョイント面とで端部側が構成された縦貼りサイディングとを備え、
前記壁パネルに取り付けられた前記チャンネル状胴縁のフィン部の外面側と前記チャンネル状胴縁金具の一辺との間に、各々一対の雄、雌レールを設け、同雄、雌レールの一方を他方に上方または下方からスライド挿入して前記チャンネル状胴縁に前記チャンネル状胴縁金具を差し込み装着してなる壁パネルへの縦貼りサイディング取り付け構造であって、
前記チャンネル状胴縁に装着された前記縦貼りサイディングの前記ジョイント面が、前記スリット状開口に沿って配置されている
ことを特徴とする壁パネルへの縦貼りサイディング取り付け構造。
【発明の詳細な説明】
【０００１】
【発明の属する技術分野】
本発明は、壁パネルに縦方向に胴縁を取り付け、この胴縁に縦貼りサイディングの両側に嵌め込んだチャンネル状胴縁金具を差し込み又は押し込み装着して縦貼りサイディングを取り付ける、壁パネルへの縦貼りサイディング取り付け構造に関するものである。
【０００２】
【従来の技術】
従来、壁パネルに縦貼りサイディングを取り付ける場合は、一般に釘打ちで行っており、サイディングの縦目地からの漏水は、縦目地をホットメルト等でコーキングすることによって防止している。
このため、外観意匠を損ない、見栄えを低下させる問題があった。
また、釘打ち時に縦貼りサイディングの倒れを押さえながら作業しなければならないと共に、ホットメルト等による縦目地のコーキング作業が必要なため、多大の手間を要する問題があった。
【０００３】
【発明が解決しようとする課題】
本発明の課題は、釘を使用しないで縦貼りサイディングを簡便に取り付けることができると共に、外観意匠を向上させることができる壁パネルへの縦貼りサイディング取り付け構造を提供することにある。
本発明のもう一つの課題は、縦貼りサイディングの縦目地からの漏水を速やかに外部に排出することができる壁パネルへの縦貼りサイディング取り付け構造を提供することにある。
【０００４】
【課題を解決するための手段】
上記した課題を解決するため、本発明に係る壁パネルへの縦貼りサイディング取り付け構造は、壁パネルの縦方向に所定間隔で平行に取り付けられ、外面側の中央部に縦方向に沿うスリット状開口とその両サイドにフィン部とを有するチャンネル状胴縁と、チャンネル状胴縁金具が嵌め込まれたサネ部と当該サネ部に嵌め込まれた前記チャンネル状胴縁金具より突出したジョイント面とで端部側が構成された縦貼りサイディングとを備え、前記壁パネルに取り付けられた前記チャンネル状胴縁のフィン部に対して、前記縦貼りサイディングの前記サネ部に嵌め込まれた前記チャンネル状胴縁金具の一辺を、前記スリット状開口を利用して上方または下方からスライド挿入して前記チャンネル状胴縁に前記チャンネル状胴縁金具を差し込み装着してなる壁パネルへの縦貼りサイディング取り付け構造であって、前記チャンネル状胴縁に装着された前記縦貼りサイディングの前記ジョイント面が、前記スリット状開口に沿って配置されていることを特徴としている。これにより、縦貼りサイディングをチャンネル状胴縁とチャンネル状胴縁金具とを差し込み装着することによって、釘を使用することなく壁パネルに取り付けることができると共に、チャンネル状胴縁を樋として機能させ、縦貼りサイディングの縦目地からの漏水を速やかに外部に落下排出することができる。
【０００５】
また、チャンネル状胴縁に対し、チャンネル状胴縁金具の一辺を差込挿入して引っ掛けることにより、簡便に装着することができる。
【０００６】
また、本発明に係る壁パネルへの縦貼りサイディング取り付け構造は、壁パネルの縦方向に所定間隔で平行に取り付けられ、外面側の中央部に縦方向に沿うスリット状開口とその両サイドにフィン部とを有するチャンネル状胴縁と、チャンネル状胴縁金具が嵌め込まれたサネ部と当該サネ部に嵌め込まれた前記チャンネル状胴縁金具より突出したジョイント面とで端部側が構成された縦貼りサイディングとを備え、前記壁パネルに取り付けられた前記チャンネル状胴縁のフィン部の外面側と前記チャンネル状胴縁金具の一辺との間に、各々一対の弾性変形可能な押し込み式の係止爪を設け、両係止爪を係合させて前記チャンネル状胴縁に前記チャンネル状胴縁金具を押し込み装着してなる壁パネルへの縦貼りサイディング取り付け構造であって、前記チャンネル状胴縁に装着された前記縦貼りサイディングの前記ジョイント面が、前記スリット状開口に沿って配置されていることを特徴としている。これにより、チャンネル状胴縁に対しチャンネル状胴縁金具を一対の弾性変形可能な押し込み式の係止爪同志を押し込み係合させることによって、簡便に装着することができる。
【０００７】
更に、本発明に係る壁パネルへの縦貼りサイディング取り付け構造は、壁パネルの縦方向に所定間隔で平行に取り付けられ、外面側の中央部に縦方向に沿うスリット状開口とその両サイドにフィン部とを有するチャンネル状胴縁と、チャンネル状胴縁金具が嵌め込まれたサネ部と当該サネ部に嵌め込まれた前記チャンネル状胴縁金具より突出したジョイント面とで端部側が構成された縦貼りサイディングとを備え、前記壁パネルに取り付けられた前記チャンネル状胴縁のフィン部の外面側と前記チャンネル状胴縁金具の一辺との間に、各々一対の雄、雌レールを設け、同雄、雌レールの一方を他方に上方または下方からスライド挿入して前記チャンネル状胴縁に前記チャンネル状胴縁金具を差し込み装着してなる壁パネルへの縦貼りサイディング取り付け構造であって、前記チャンネル状胴縁に装着された前記縦貼りサイディングの前記ジョイント面が、前記スリット状開口に沿って配置されていることを特徴としている。これにより、チャンネル状胴縁に対し、チャンネル状胴縁金具を一対の雄、雌レールの一方を他方に挿入して係合させることによって、簡便に装着することができる。
【０００８】
【発明の実施の形態】
以下に本発明の実施の形態を図１乃至図５に基づいて説明する。
図１は本発明の実施形態に係る壁パネルへの縦貼りサイディング取り付け構造を示す斜視図、図２はその取り付け構造に使用する胴縁の構成を示す斜視図、図３は縦貼りサイディング取り付け状態の横断面図、図４は他構成の胴縁を使用した縦貼りサイディング取り付け状態の横断面図、図５は更に別構成の胴縁を使用した縦貼りサイディング取り付け状態の横断面図である。
【０００９】
１は壁パネルであり、その外面側にはチャンネル状胴縁２が所定の間隔で縦方向に平行にビス止めされる。
このチャンネル状胴縁２は、図２に示すように横断面がチャンネル形状で外面側の中央部に縦方向に沿うスリット状開口３を有していると共に、その両サイドに左右一対のチャンネル状胴縁金具６を引っ掛けるためのフィン部４を有しており、その底面側を壁パネル１に対してビス８によりビス止めされるようになっている。
なお、このチャンネル状胴縁２は、そのチャンネル内空間５が漏水排出用の樋として機能するよう構成されている。
【００１０】
また、左右一対のチャンネル状胴縁金具６は、横断面形状がチャンネル形であり、そのコの字状開口部の寸法は、縦貼りサイディング９の両側サネ部１０に嵌め込むことができ、この状態でチャンネル状胴縁金具６の一辺７がチャンネル状胴縁２のスリット状開口３の両サイドのフィン部４に引っ掛けられるように、上方又は下方からスライド挿入して差し込み装着できる寸法に設定されている。
なお、左右一対のチャンネル状胴縁金具６は、縦貼りサイディング９の両側サネ部１０が左右対称形状であるため、共通化することができる。
【００１１】
更に、チャンネル状胴縁２には、壁パネル１に対しチャンネル状胴縁２及び左右一対のチャンネル状胴縁金具６を介して取り付けられた縦貼りサイディング９の上下部を固定するための引っ掛け金具１１が、開口等を利用して取り付け固定されるようになっている。
なお、縦貼りサイディング９は、そのジョイント面１２がチャンネル状胴縁２の外面側中央部のスリット状開口３に沿って位置するように、チャンネル状胴縁金具６により横方向の位置決めがなされるようになっている。
【００１２】
しかして、上記の実施形態によると、壁パネル１に縦貼りサイディング９を取り付けるに際しては、先ず、壁パネル１の外面側に所定の間隔で縦方向に平行にチャンネル状胴縁２をビス８によりビス止めして取り付ける。
一方、縦貼りサイディング９の縦方向両側のサネ部１０にチャンネル状胴縁金具６を嵌め込んでセットする。
【００１３】
この状態で壁パネル１に取り付けられているチャンネル状胴縁２の上方又は下方から、縦貼りサイディング９に嵌め込みセットされているチャンネル状胴縁金具６の一辺７を、チャンネル状胴縁２のフィン部４に差し込み挿入して引っ掛けることにより、チャンネル状胴縁２にチャンネル状胴縁金具６を装着し、これによって縦貼りサイディング９をその倒れを防止すると共に、横方向の位置決めをして取り付けることができる。
【００１４】
その後、チャンネル状胴縁２に引っ掛け金具１１を取り付け、縦貼りサイディング９の上下部を固定することによって、図３に示すように縦貼りサイディング９のジョイント面１２がチャンネル状胴縁２の外面側中央部のスリット状開口３に沿って位置するような納まりで、縦貼りサイディング９を取り付けることができる。
【００１５】
従って、釘を使用することなく、チャンネル状胴縁金具６を縦貼りサイディング９に嵌め込みセットし、このチャンネル状胴縁金具６をチャンネル状胴縁２に差し込み挿入することによって、壁パネル１に対して簡便に、かつ正確に縦貼りサイディング９を組み付けることができる。
また、縦貼りサイディング９のジョイント面１２がチャンネル状胴縁２の外面側中央部のスリット状開口３に沿って位置するので、この縦貼りサイディング９の縦目地からの漏水は、樋として機能するチャンネル状胴縁２のチャンネル内空間５内を落下して速やかに外部に排出されるため、縦貼りサイディング９のジョイント面１２にコーキングを施さなくても、漏水が躯体側に廻らないよう防湿効果を持たせることができる。
【００１６】
更に、左右の縦貼りサイディング９の取り合い部によって形成される溝は、従来の目地の深さに対して倍以上の深さとなるため、煉瓦風の目地となり、釘及びコーキング無しとなることと相まって外観意匠を向上させ、見栄えをよくすることができる。
【００１７】
なお、図４に示すようにチャンネル状胴縁２のフィン部４の外面側とチャンネル状胴縁金具６の一辺７との間に、各々一対の弾性変形可能な押し込み式の鉤形の係止爪１３、１４を設け、両係止爪１３、１４同志を正面より押し込み係合させてチャンネル状胴縁２にチャンネル状胴縁金具６を装着することにより、縦貼りサイディング９を組み付けるようにしてもよく、この実施形態によっても係止爪１３、１４同志を押し込み係合させるだけで簡便に縦貼りサイディング９を組み付けることができるので、上記実施形態と同様の結果を得ることができる。
【００１８】
更に、図５に示すようにチャンネル状胴縁２のフィン部４の外面側とチャンネル状胴縁金具６の一辺７との間に、各々一対の雄、雌レール１５、１６を設けてチャンネル状胴縁２にチャンネル状胴縁金具６を装着するよう構成することができる。
この場合も、雄、雌レール１５、１６の一方を他方に上方又は下方からスライド挿入することによって、簡便にチャンネル状胴縁２に対しチャンネル状胴縁金具６を装着することができるため、上記実施形態と同様の結果を得ることができる。
【００１９】
【発明の効果】
以上に説明したように、本発明に係る壁パネルへの縦貼りサイディング取り付け構造によると、縦貼りサイディングをチャンネル状胴縁とチャンネル状胴縁金具とを差し込み又は押し込み装着することによって、釘を使用することなく壁パネルに取り付けることができるため、壁パネルに対して容易に、かつ正確に縦貼りサイディングを組み付けることができる。
また、チャンネル状胴縁を樋として機能させ、縦貼りサイディングの縦目地からの漏水を速やか外部に落下排出することができるので、コーキング無しで防湿機能を得ることができると共に、縦貼りサイディングの取り合い部の縦目地を従来の目地の深さに対して倍以上の深さとすることができるため、煉瓦風の目地とすることができ、釘及びコーキング無しとなることと相まって外観意匠を向上させることができる。
【図面の簡単な説明】
【図１】本発明の実施形態に係る壁パネルへの縦貼りサイディング取り付け構造を示す斜視図である。
【図２】本発明の実施形態に係る壁パネルへの縦貼りサイディング取り付け構造に使用する胴縁の構成を示す斜視図である。
【図３】本発明の実施形態に係る壁パネルへの縦貼りサイディング取り付け構造の縦貼りサイディング取り付け状態の横断面図である。
【図４】本発明の実施形態に係る壁パネルへの縦貼りサイディング取り付け構造の他構成の胴縁を使用した縦貼りサイディング取り付け状態の横断面図である。
【図５】本発明の実施形態に係る壁パネルへの縦貼りサイディング取り付け構造の更に別構成の胴縁を使用した縦貼りサイディング取り付け状態の横断面図である。
【符号の説明】
１  壁パネル
２  チャンネル状胴縁
３  スリット状開口
４  フィン部
６  チャンネル状胴縁金具
７  一辺
９  縦貼りサイディング
１０  サネ部
１１  引っ掛け金具
１３、１４  一対の係止爪
１５、１６  一対の雄、雌レール
【図１】
0003803697.tif 000002
【図２】
0003803697.tif 000003
【図３】
0003803697.tif 000004
【図４】
0003803697.tif 000005
【図５】
0003803697.tif 000006